(57)【特許請求の範囲】
【請求項１】
棟上に積み重ねられる熨斗瓦であって、棟を覆う彎曲した形状をなし、上側又は下側のうち、少なくとも一方の側に縦向きに突出する少なくとも一つの凸部と、上又は下側に積み重ねられる熨斗瓦の上記凸部が嵌合する少なくとも一つの凹部を有し、熨斗瓦を積み重ねたとき、上下に積み重ねられる熨斗瓦が凹凸の嵌合によって連結されるようにした熨斗瓦において、上記凸部が熨斗瓦の両側端面のうち、少なくとも一方の側に縦方向のみならず、横方向にも突出し、上記凹部が少なくとも他方の側及び中間部に形成され、熨斗瓦を棟に沿って横向きに接続し、かつその上に熨斗瓦を互い違いとなるように積み重ねたとき、凸部が隣接する熨斗瓦の凹部と、上側に積み重なる熨斗瓦の中間部の凹部に嵌合することを特徴とする熨斗瓦。
【発明の詳細な説明】
【０００１】
【発明が属する技術分野】
本発明は、棟用の熨斗瓦に関する。
【０００２】
【従来技術】
図１は、瓦葺き屋根の棟の構造に関し、強力棟と称される金具を使用したタイプについて示すもので、その施工は、次のようにして行われている。先ず、野地板のルーフィング上に山形の座金１を棟に沿って一定間隔で置き、その両側を垂木２で押えて固定し、桟瓦３を垂木２に掛けて敷設する。
【０００３】
次に桟瓦３上に面戸瓦６を載せ、その間に座金上を除いて粘度ないしモルタルを詰める。ついで平らな熨斗瓦８を左右に置き、図示しない銅線で結線して連結し順次積み上げていく。その後、座金１に受金４の芯棒５を捩込み、瓦間に粘度ないしモルタルを詰め込んだ後、芯棒５の捩込量を調整して受金４と受金間に掛け渡して固定した垂木１１で押えて固定する。その後、雁振り瓦１２を載せ、釘１３にて垂木１１に打ち付け固定する。
【０００４】
【発明が解決しようとする課題】
図１に示す従来の棟構造では、地震等で横揺れしたとき、熨斗瓦８が横方向にずれて外れたり、脱落して壊れ易い。本発明は、地震等の横揺れによってもずれにくい熨斗瓦を提供することを目的とする。
【０００５】
【課題の解決手段】
請求項１に係わる発明は、棟上に積み重ねられる熨斗瓦であって、棟を覆う彎曲した形状をなし、上側又は下側のうち、少なくとも一方の側に縦向きに突出する少なくとも一つの凸部と、上又は下側に積み重ねられる熨斗瓦の上記凸部が嵌合する少なくとも一つの凹部を有し、熨斗瓦を積み重ねたとき、上下に積み重ねられる熨斗瓦が凹凸の嵌合によって連結されるようにした熨斗瓦において、上記凸部が熨斗瓦の両側端面のうち、少なくとも一方の側に縦方向のみならず、横方向にも突出し、上記凹部が少なくとも他方の側及び中間部に形成され、熨斗瓦を棟に沿って横向きに接続し、かつその上に熨斗瓦を互い違いとなるように積み重ねたとき、凸部が隣接する熨斗瓦の凹部と、上側に積み重なる熨斗瓦の中間部の凹部に嵌合することを特徴とする。
【０００６】
本発明によると、凸部が隣接する熨斗瓦の凹部と、上側に積み重なる熨斗瓦の凹部に嵌合することにより、隣接する左右の熨斗瓦と、上下に重なる熨斗瓦が共に連結され、側方にずれるのが防止され、また左右の熨斗瓦を銅線等で結線し連結する必要もない。
【０００７】
本発明によると、孔又は溝に嵌合する芯棒によって、熨斗瓦の側方の動きが規制され、側方にずれるのが防止される。好ましい発明においては、請求項５に係わる発明において、上記各発明の凹凸及び若しくは凸条が形成される。これにより、熨斗瓦の側方のずれをより一層確実に防止することができる。
【０００８】
【発明の実施の形態】
図２に示す熨斗瓦２１は、断面が彎曲した形状をなし、中央に長孔２２を形成すると共に、該長孔２２を挟んで上側に凸条２３を一対、また下側に凸条２４を一対、凸条２３の外側に位置させて突設している。そして両側端面には中央にＵ形溝２５が形成されると共に、一方の側端面にはＵ形溝２５の両縁に突片２６が、また両側に凸部２７が突出形成されている。他方の側端面にはＵ形溝２５の両縁に突片２６が嵌合する切欠き２８が、両側に突部２７が嵌合する凹部（図示しない）が形成されている。
【０００９】
図３は、熨斗瓦２１を葺くときの態様を示すもので、熨斗瓦２１を横向きに突片２６が切欠き２８に、凸部２７が図示しない凹部に嵌合するようにして順次接続し、並べていく。図３には、このうちの二枚の熨斗瓦２１のみを示している。次にその上に熨斗瓦２１を下側の熨斗瓦２１と互い違いとなるように重ねる。図４は、重ねた状態を示す。この状態で上側の熨斗瓦２１の一対の突条２４が下側の熨斗瓦２１の一対の突条２３に外側から係合し、上下の瓦２１が互いに横ずれすることのないようにしている。また横向きに並ぶ瓦２１も突片２６が切欠き２８に、突部２７が凹部に嵌合することにより互いの瓦２１が横ずれしないようにしている。
【００１０】
ここで凸部２７と凹部はもちろんのこと、突片２６や切欠き２８は請求項３に係わる発明の第２の凸部と第２の凹部に相当するもので、凸部２７と凹部、突片２６と切欠き２８は、同じ機能を果たしており、いずれか一方は省略しても差し支えない。
【００１１】
またＵ形溝２５は瓦２１を接続したとき、長孔２２と同形同大の長孔を形成するが、この長孔は長孔２２と同様、強力棟と称される金具の芯棒が通されるものである。長孔は強力棟の金具の施工精度を緩和させるのに役立つが、該金具の施工精度を向上させることができれれば、丸孔であってもよい。
【００１２】
棟の施工は、前述した従来の方法とほゞ同様にして行うことができる。この施工法を図５に基づいて説明すると、先ず従来の工法と同様、野地板のルーフィングに山形の座金１を棟に沿って一定間隔で置き、その両側を垂木２で押えて固定し、桟瓦３を垂木２に掛けて敷設する。
【００１３】
次に桟瓦３上に面戸瓦６を載せ、その間に座金上を除いて粘度ないしモルタル（図示しない）を詰める。ついで図３及び図４に示すようにして熨斗瓦２１を面戸瓦６をまたぐようにして載せて接続し、順次積み上げていく。なお、上側部の熨斗瓦２１は下側の熨斗瓦２１よりも巾狭となっている。
【００１４】
積み上げ後、受金４の心棒５を熨斗瓦２１の長孔２２及びＵ形溝２５を通して座金１に捩込み連結する。そして受金４間に垂木１１を掛け渡し、固定する。その後、雁振り瓦１２を載せ、釘１３を雁振り瓦１２を通して垂木１１に打ち付けて固定する。図６は施工後の棟の構造を示す。なお、図中、図１に示すものと同一構造のものは、同一符号で示してある。
【００１５】
図７に示す熨斗瓦瓦３１は、前記の熨斗瓦２１と同様、断面が彎曲した形状をなし、中央に長孔３２を形成すると共に、両側端面のうちの一方にＵ形溝３３を、他方に上方及び側方に突出し、長孔３２及びＵ形溝３３に嵌合可能な凸部３４を形成している。図８は、熨斗瓦３１を横向きに並べて接続したときの状態、図９はその上に熨斗瓦３１を重ねた状態を示す。この場合、前述の芯棒５は凸部３４が嵌合する長孔３２の隙間に通される。
【００１６】
【発明の効果】
請求項１に係わる発明によると、棟を施工したとき、凹部及び凸部の嵌合によって、上下及び横方向の熨斗瓦が連結され、るため、上下及び横方向の熨斗瓦が互いに側方にずれることがなく、地震等の横揺れによって熨斗瓦が外れたり、脱落して棟が損壊されるのを防ぐことができ、また、施工時には凹凸が嵌合するようにして熨斗瓦を積み上げていけばよく、従来法のように左右に熨斗瓦を並べて銅線で結線し連結する手間が省け、作業能率が向上する。
【００１７】
【図面の簡単な説明】
【図１】従来の棟構造の断面図。
【図２】本発明に係わる熨斗瓦の斜視図。
【図３】図２に示す熨斗瓦を並べて接続したときの態様を示す斜視図。
【図４】図３に示す熨斗瓦上に熨斗瓦を積んだ態様を示す斜視図。
【図５】施工された棟の要部を示す斜視図。
【図６】施工された棟の断面図。
【図７】本発明に係わる熨斗瓦の別の態様を示す斜視図。
【図８】図７に示す熨斗瓦を並べて接続したときの態様を示す斜視図。
【図９】図８に示す熨斗瓦上に熨斗瓦を積んだ態様を示す斜視図。
【符号の説明】
１・・座金
２、１１・・垂木
３・・桟瓦
４・・受金
５・・芯棒
６・・面戸瓦
８、２１、３１・・熨斗瓦
１２・・雁振り瓦
１３・・釘
２２、３２・・長孔
２３、２４・・凸条
２５、３３・・Ｕ形溝
２６・・突片
２７、３４・・凸部
２８・・切欠き
【図１】
0003746454.tif 000002
【図２】
0003746454.tif 000003
【図３】
0003746454.tif 000004
【図４】
0003746454.tif 000005
【図５】
0003746454.tif 000006
【図６】
0003746454.tif 000007
【図７】
0003746454.tif 000008
【図８】
0003746454.tif 000009
【図９】
0003746454.tif 000010